(57)【特許請求の範囲】
【請求項１】
便器に搭載され人体の局部に洗浄水を噴出口から噴出して人体の局部を洗浄する洗浄機構を有する人体局部洗浄装置において、
前記洗浄機構は、
洗浄水を拡散させる拡散流となる洗浄水が流れる拡散流給水路と、前記拡散流給水路よりも直線的な直線流となる洗浄水が流れる直線流給水路とをもつノズルと、
該ノズルの前記拡散流給水路及び前記直線流給水路に接続され作動に伴い前記ノズルの前記拡散流給水路の水量と前記直線流給水路の水量との混合比を変更可能なバルブと、
該バルブに接続され駆動に伴い該バルブを作動させて前記拡散流給水路の水量と前記直線流給水路の水量との混合比を自動で変更することにより、前記ノズルの前記噴出口から人体の局部に向けて噴出される洗浄水の洗浄面積を経時的に変化させる駆動源とを具備していることを特徴とする人体局部洗浄装置。
【請求項２】
便器に搭載され人体の局部に洗浄水を噴出口から噴出して人体の局部を洗浄する洗浄機構を有する人体局部洗浄装置において、
前記洗浄機構は、
洗浄水を拡散させる拡散流となる洗浄水が流れる拡散流給水路と、前記拡散流給水路よりも直線的な直線流となる洗浄水が流れる直線流給水路とをもち、前記噴出口の上流において前記拡散流給水路の拡散流と直線流給水路の直線流とを混合させるノズルと、
該ノズルの前記拡散流給水路及び前記直線流給水路に接続され作動に伴い前記ノズルの前記拡散流給水路の水量と前記直線流給水路の水量との混合比を変更可能なバルブと、
該バルブに接続され駆動に伴い該バルブを作動させて前記拡散流給水路の水量と前記直線流給水路の水量との混合比を自動で変更する駆動源とを具備していることを特徴とする人体局部洗浄装置。
【請求項３】
請求項１または２において、前記噴出口は、前記ノズルの前記拡散流給水路の洗浄水と前記直線流給水路の洗浄水とは、前記ノズルの前記噴出口から噴出される前に合流し、合流させてから前記噴出口から人体の局部に向けて噴出されることを特徴とする人体局部洗浄装置。
【請求項４】
請求項１〜３のうちの一項において、前記噴出口は、前記バルブは、前記ノズルにおける前記拡散流給水路の水量を増加させると共に前記直線流給水路の水量を減少させる形態と、前記ノズルにおける前記拡散流給水路の水量を減少させると共に前記直線流給水路の水量を増加させる形態と、両者の中間の形態とに切替可能であり、該駆動源により切替操作されることを特徴とする人体局部洗浄装置。
【請求項５】
請求項１〜請求項４のうちの一項において、前記拡散流給水路に供給される水量と、前記直線流給水路に供給される水量との単位時間あたりの合計水量は、ほぼ一定であることを特徴とする人体局部洗浄装置。
【請求項６】
請求項１〜請求項４のうちの一項において、前記ノズルの噴出口から噴出される前記拡散流給水路の水量と前記直線流給水路の水量との単位時間あたりの合計水量は、時間の進行につれて増減されることを特徴とする人体局部洗浄装置。
【請求項７】
請求項１〜請求項６のうちの一項において、前記ノズルの前記噴出口から人体の局部に向けて噴出される洗浄水の洗浄面積を周期的且つ連続的に変化させることを特徴とする人体局部洗浄装置。
【請求項８】
請求項１〜請求項７のうちの一項において、前記拡散流給水路の先端側に連通すると共に前記拡散流給水路から供給された洗浄水に旋回効果を与える旋回室をもつ旋回促進部が設けられており、前記噴出口は前記旋回室と同軸的に設けられ、前記噴出口の内径は、前記旋回室の内径よりも小さいことを特徴とする人体局部洗浄装置。
【請求項９】
請求項８において、前記直線流給水路は連通口を介して前記旋回促進部の前記旋回室に連通し、前記直線流給水路を流れた洗浄水は前記連通口を介して前記旋回室に供給されることを特徴とする人体局部洗浄装置。
【請求項１０】
請求項１〜９のうちの一項において、マッサージスイッチの操作により前記駆動源を駆動させる制御装置が設けられていることを特徴とする人体局部洗浄装置。
【請求項１１】
請求項１〜１０のうちの一項において、前記拡散流給水路および前記直線流給水路は、前記ノズル内に横断面で偏平形状となるように形成されていることを特徴とする人体局部洗浄装置。
【請求項１２】
請求項１〜１１のうちの一項において、前記バルブは、前記拡散流給水路に連通する第１開口と、前記直線流給水路に連通する第２開口と、前記第１開口の開口面積及び前記第２開口の開口面積を可変とする可変部とを有することを特徴とする人体局部洗浄装置。
【発明の詳細な説明】
【０００１】
【発明の属する技術分野】
本発明は人体の局部に洗浄水をノズルの噴出口から噴出して人体の局部を洗浄する人体局部洗浄装置に関し、殊にマッサージ効果を改善した人体局部洗浄装置に関する。
【０００２】
【従来の技術】
人体局部洗浄装置は、人体の局部に向けて洗浄水を噴出して局部を洗浄するノズルを有するものである。更に、近年、洗浄時の単調感を解消したり、痔疾者等に対する改善を図った人体局部洗浄装置として、人体の局部に向けて噴出される設定水量を中心とする水量変化を与えるもの（特公平３−１０７７３号公報、特公平３−１６４６１号公報）、局部に向けて噴出される設定水量を中心とする水量の変化を与えつつも、設定水量とは無関係に少なくとも１回は多めの洗浄水量を噴出し、洗浄効果を高めるもの（特公平３−１０７７４号公報）が知られている。これらの公報に係る装置では、直線的に噴出される直線流を人体の局部に噴出させるものであり、設定値を中心とする水量の変化により、人体の局部に対するマッサージ効果が得られる。
【０００３】
【発明が解決しようとする課題】
しかしながら上記した公報に係る人体局部洗浄装置は、水量の変化により、人体局部に対するある程度のマッサージ効果が得られるものの、人体の局部に向けて洗浄水が直線的に噴出されるため、人体に対するマッサージ効果は必ずしも充分ではなく、さらなる開発が要望されている。
【０００４】
本発明は上記した実情に鑑みてなされたものであり、その課題は、洗浄水の拡散流と洗浄水の直線流とを混合させ、その混合比を変更することにより、人体の局部に対するマッサージ効果を高めた人体局部洗浄装置を提供することにある。
【０００５】
【課題を解決するための手段】
（１）様相１（請求項１）の本発明に係る人体局部洗浄装置は、便器に搭載され人体の局部に洗浄水を噴出口から噴出して人体の局部を洗浄する洗浄機構を有する人体局部洗浄装置において、
洗浄機構は、洗浄水を拡散させる拡散流となる洗浄水が流れる拡散流給水路と、拡散流給水路よりも直線的な直線流となる洗浄水が流れる直線流給水路とをもつノズルと、
ノズルの拡散流給水路及び直線流給水路に接続され作動に伴いノズルの拡散流給水路の水量と直線流給水路の水量との混合比を変更可能なバルブと、
バルブに接続され駆動に伴いバルブを作動させて拡散流給水路の水量と直線流給水路の水量との混合比を自動で変更することにより、ノズルの噴出口から人体の局部に向けて噴出される洗浄水の洗浄面積を経時的に変化させる駆動源とを具備していることを特徴とするものである。
【０００６】
様相１の本発明装置においては、バルブは、作動に伴い、ノズルの拡散流給水路の水量と直線流給水路の水量との混合比を変える。このバルブは駆動源により自動的に作動される。このように駆動源が駆動してバルブが作動すれば、バルブの作動により上記混合比が自動的に変更される。この結果、ノズルの噴出口から人体局部に向けて噴出される洗浄水において、経時的に、拡散流の水量が増加したり直線流の水量が増加したりする。拡散流の水量が増加したときには、洗浄面積が増加し、マイルドな洗浄感が得られる。直線流の水量が増加したときには、洗浄面積が低減され、局所的な強い洗浄感が得られる。拡散流と直線流との水量の割合が中間となったときには、中間の洗浄感が得られる。
【０００７】
上記したように本発明装置においては駆動源の駆動によりバルブが自動的に作動し、拡散流給水路の水量と直線流給水路の水量との混合比が自動的に変更されるため、マイルドな洗浄感、局所的な強い洗浄感、中間の洗浄感が経時的に繰り返されることになり、人体の局部に対するマッサージ効果が得られる。
【０００８】
（２）様相２（請求項２）の本発明に係る人体局部洗浄装置は、便器に搭載され人体の局部に洗浄水を噴出口から噴出して人体の局部を洗浄する洗浄機構を有する人体局部洗浄装置において、
洗浄機構は、洗浄水を拡散させる拡散流となる洗浄水が流れる拡散流給水路と、拡散流給水路よりも直線的な直線流となる洗浄水が流れる直線流給水路とをもち、噴出口の上流において拡散流給水路の拡散流と直線流給水路の直線流とを混合させるノズルと、
ノズルの拡散流給水路及び直線流給水路に接続され作動に伴いノズルの拡散流給水路の水量と直線流給水路の水量との混合比を変更可能なバルブと、バルブに接続され駆動に伴いバルブを作動させて拡散流給水路の水量と直線流給水路の水量との混合比を自動で変更する駆動源とを具備していることを特徴とするものである。
【０００９】
様相２の本発明装置においては、バルブは、作動に伴い、ノズルの拡散流給水路の水量と直線流給水路の水量との混合比を変える。このバルブは駆動源により自動的に作動される。このように駆動源が駆動してバルブが作動すれば、バルブの作動により上記混合比が自動的に変更される。この結果、ノズルの噴出口から人体局部に向けて噴出される洗浄水において、経時的に、拡散流の水量が増加したり直線流の水量が増加したりする。拡散流の水量が増加したときには、洗浄面積が増加し、マイルドな洗浄感が得られる。直線流の水量が増加したときには、洗浄面積が低減され、局所的な強い洗浄感が得られる。拡散流と直線流との水量の割合が中間となったときには、中間の洗浄感が得られる。
【００１０】
上記したように本発明装置においては駆動源の駆動によりバルブが自動的に作動し、拡散流給水路の水量と直線流給水路の水量との混合比が自動的に変更されるため、マイルドな洗浄感、局所的な強い洗浄感、中間の洗浄感が経時的に繰り返されることになり、人体の局部に対するマッサージ効果が得られる。
【００１１】
【発明の実施の形態】
本発明は次の形態の少なくとも一を採用できる。
・バルブは、ノズルの拡散流給水路の水量を増加させると共に直線流給水路の水量を減少させる形態と、ノズルの拡散流給水路の水量を減少させると共に直線流給水路の水量を増加させる形態と、両者の中間の形態とに切替可能とすることができる。この場合、ノズルの噴出口から噴出される洗浄水の単位時間当たりの合計水量をほぼ一定に維持するのに有利となる。この結果、拡散流の割合と直線流の割合とを変更させつつも、単位時間当たりの合計水量が確保され、人体局部に対する洗浄能力の低下を抑え得る。なお、場合によっては、ノズルから噴出される洗浄水の合計水量を変化させる方式とし、時間の進行につれて、ノズルから噴出される洗浄水の合計水量を増加させたり減少させたりしても良い。
・バルブは、拡散流給水路に連通する第１開口と、直線流給水路に連通する第２開口と、第１開口の開口面積及び第２開口の開口面積を可変とする可変部とを有する形態を採用できる。第１開口は、例えば、一方向に向かうにつれて開口幅が次第に増加すると共に他方向に向かうにつれて開口幅が次第に減少するように形成できる。第２開口は、例えば、一方向に向かうにつれて開口幅が次第に減少すると共に他方向に向かうにつれて開口幅が次第に増加するように形成できる。一方向または他方向に向けて可変部が移動すれば、第１開口の開口面積及び第２開口の開口面積をそれぞれ可変とすることができる。この場合、駆動源であるモータが駆動すれば、バルブが作動するため、拡散流給水路に供給される洗浄水の水量、及び、直線流給水路に供給される洗浄水の水量を自動的に可変にすることができる。ひいては、拡散流給水路に供給される洗浄水の水量と、直線流給水路に供給される洗浄水の水量との混合比を自動的に変更することができる。なお混合比の変更は、無段階に変更する形態でも良いし、段階的に変更する形態でも良い。
・バルブを作動させるための駆動源としてのモータを駆動するためのマッサージスイッチを設けることができる。マッサージスイッチは洗浄開始・終了を指令する洗浄スイッチに組み込んでも良いし、洗浄スイッチと別体で設けても良い。
・ノズルは、人体の局部に対面可能で且つ拡散流給水路及び直線流給水路の双方に共通する噴出口を有する形態を採用できる。この場合、拡散流給水路の洗浄水、直線流給水路の洗浄水は、共通する噴出口から噴出される。この場合、拡散流と直線流とがそれぞれ専用の噴出口から個別に噴出される場合に比較して、拡散流と直線流とを良好に混合させるのに有利となる。
【００１２】
【実施例】
以下、本発明の実施例を図面を参照して説明する。
【００１３】
本実施例に係る人体局部洗浄装置は人体の局部を洗浄する機能を有するものであり、便器１００の後部に搭載される。この人体局部洗浄装置は、図１に示すように、便器１００の後部に搭載されるケース１０と、ケース１０に揺動可能に接続された便座１２と、便蓋１３と、人体局部を洗浄する洗浄水を噴出する洗浄機構１４とを有する。ケース１０は、使用者の操作に基づいて洗浄の開始・終了を指令する洗浄スイッチ１１ａ、使用者の操作に基づいてマッサージ処理を指令するマッサージスイッチ１１ｂ等を有する操作パネル１１ｄをもつ。
【００１４】
図２に示すように、洗浄機構１４は、シリンダ状の基部２と、洗浄水を噴出するノズル３と、洗浄形態を切り替えるバルブ４と、バルブ４を作動させるための駆動源であるバルブモータ６（モータ）とをもつ。バルブモータ６はバルブモータ駆動回路７０を介して、マイコン内蔵の制御装置７により制御される。制御装置７には、使用者の操作に基づいて、前記した洗浄スイッチ１１ａからの信号、マッサージ処理を指令するマッサージスイッチ１１ｂからの信号がそれぞれ入力される。
【００１５】
ノズル３は人体の肛門等の局部に洗浄水を噴出して局部を洗浄するものである。このノズル３は、基部２に前進後退可能につまり矢印Ｘ１，Ｘ２方向に移動可能に設けられており、図略のノズルモータの駆動により、人体局部を洗浄するときには矢印Ｘ１方向に前進し、洗浄が終了すると、矢印Ｘ２方向に後退する。
【００１６】
図３はノズル３の先端付近の縦断面を示す。図４は図３のIV-IV線に沿った断面を示す。図５は図３のV-V線に沿った横断面を示す。図３に示すように、ノズル３の内部には、拡散流給水路３１及び直線流給水路３２がほぼ平行に並走されている。図５に示すようにノズル３の横断面は小判型とされている。図５に示すように、拡散流給水路３１及び直線流給水路３２は、ノズル３内に横断面が偏平形状となるように形成されている。図２に示すように、バルブ４と拡散流給水路３１とは第１水路４１により接続されていると共に、バルブ４と直線流給水路３２とは第２水路４２により接続されている。これによりバルブ４を介して拡散流給水路３１及び直線流給水路３２に洗浄水がそれぞれ個別に供給される。
【００１７】
図３に示すように、ノズル３の先端側のうち、人体の局部に対面する側の表面３ｉには、中心軸芯Ｐを有する１個の噴出口３４が形成されている。噴出口３４は拡散流給水路３１及び直線流給水路３２の双方に連通しており、拡散流給水路３１及び直線流給水路３２の双方に共通するものである。従って、噴出口３４は拡散流給水路３１からの洗浄水、直線流給水路３２からの洗浄水を合流させて吐出する。
【００１８】
図３に示すように、ノズル３の内部において、拡散流給水路３１は人体の局部に対面する表面３ｉ側に設けられており、噴出口３４に連通する。拡散流給水路３１の先端側には、拡散流給水路３１内の洗浄水に旋回効果を与える旋回促進部５が形成されている。ノズル３の内部において、直線流給水路３２は人体の局部に背向する裏面３ｓ側に設けられており、連通口３７を介して拡散流給水路３１、噴出口３４に連通している。なお、連通口３７、噴出口３４、後述の旋回室３は、噴出口３４の中心軸芯Ｐに対して同軸的配置とされている。
【００１９】
図４に示すように、前記した旋回促進部５は、外壁面５１が断面円形状をなす壁体５２と、壁体５２の内部に形成された旋回室５３と、旋回室５３と拡散流給水路３１とを連通すると共に拡散流給水路３１を流れた洗浄水を旋回室５３に供給するスリット状の複数個の貫通孔５４とを有する。貫通孔５４は中心軸芯Ｐに対して偏った位置に形成されている。旋回室５３は洗浄水の旋回を促すための円弧に沿った円弧壁面５３ｍを有する。拡散流給水路３１に所定の水圧で供給された洗浄水は、貫通孔５４の入口５４ａから貫通孔５４内に進入し、貫通孔５４の出口５４ｃから旋回室５３に吐出され、旋回室５３を経て、噴出口３４からノズル３の外方に噴出される。図４において水の流れを矢印として示す。貫通孔５４及び旋回室５３を流れる際に、洗浄水に旋回作用が付与される。このため旋回室５３を経て噴出口３４から噴出された洗浄水は、図６に概念イメージを模式的に示すように、噴出口３４側では径が小さいものの、噴出口３４から離れるにつれて、つまり上方に向かうにつれて、遠心力により径が大きくなり、ほぼ円錐形状をなす拡散水流が得られる。このような拡散水流は洗浄面積が大きくなるため、直線流だけの場合に比較して、マイルドな洗浄感が得られる。
【００２０】
図７はバルブ４を示す。バルブ４は、拡散流給水路３１に連通する第１開口４４と、直線流給水路３２に連通する第２開口４６と、第１開口４４の開口及び第２開口４６の開口を塞ぐ可動式の可変部４８とを有する。可変部４８は径方向に沿ったＵ字形状の開口溝４８ｘを有する。前記したバルブモータ６が駆動すると、バルブ４の可変部４８はこれの軸芯Ｓの回りで回動する。
【００２１】
図７に示すように、第１開口４４は円弧形状をなしており、周方向の一方向つまり矢印Ｂ１方向に向かうにつれて開口幅が大きくなり、周方向の他方向つまり矢印Ｂ２方向に向かうにつれて開口幅が小さくなるように形成されている。第２開口４６は円弧形状をなしており、周方向の一方向つまり矢印Ｂ１方向に向かうにつれて開口幅が小さくなり、周方向の他方向つまり矢印Ｂ２方向に向かうにつれて開口幅が大きくなるように形成されている。従って第１開口４４及び第２開口４６は、開口幅の増減方向が逆である。
【００２２】
一方向（矢印Ｂ１方向）または他方向（矢印Ｂ２方向）に向けて可変部４８が回動すれば、第１開口４４と開口溝４８ｘとが対面する面積が変化する。同様に、第２開口４６と開口溝４８ｘとが対面する面積が変化する。この結果、拡散流給水路３１に連通する第１開口４４の開口面積、及び、直線流給水路３２に連通する第２開口４６の開口面積を連続的に変更にすることができる。
【００２３】
本実施例においては、便座１２に着座している使用者がマッサージスイッチ１ｂを操作すると、その信号は制御装置７に入力され、バルブモータ駆動回路７０を経てバルブモータ６が駆動する。これにより、一方向（矢印Ｂ１方向）または他方向（矢印Ｂ２方向）に向けての可変部４８がこれの軸芯Ｓの回りで連続的に回動する。
【００２４】
このように可変部４８が回動すると、可変部４８の開口溝４８ｘが回動するため、拡散流給水路３１に供給される洗浄水の水量、及び、直線流給水路３２に供給される洗浄水の水量を連続的に変化させることができる。ひいては、拡散流給水路３１に供給される洗浄水の水量と、直線流給水路３２に供給される洗浄水の水量との混合比を無段階に変更させることができる。この結果、噴出口３４から噴出される洗浄水において、直線流を多めとしたり、拡散流を多めとしたりする調整を周期的に且つ連続的に行い得る。このため、旋回を伴って噴出口３４からほぼ円錐形状に噴出される洗浄水の径を連続的に変化させることができる。
【００２５】
更に図７を参照して説明を加える。即ち、図７（Ａ）の（ｉ）に示すように、可変部４８の開口溝４８ｘが、第１開口４４の開口幅の大きい部分４４ｗと第２開口４６の開口幅の小さい部分４６ｎとに連通するときには、拡散流の水量の割合が増加すると共に直線流の水量の割合が低下する。従って図７（Ａ）の（ｉｉ）に示すように、ノズル３の噴出口３４から人体局部に向けて噴出される洗浄水は、遠くに噴出されるにつれて拡径するように円錐形状気味となる。よって、洗浄面積が増加するため、マイルドな『弱』の洗浄感が得られる。
【００２６】
図７（Ｃ）の（ｉ）に示すように、可変部４８の開口溝４８ｘが、第１開口４４の開口幅の小さい部分４４ｎと第２開口４６の開口幅の大きい部分４６ｗとに連通するときには、拡散流の水量の割合が減少すると共に直線流の水量の割合が増加する。従って図７（Ｃ）の（ｉｉ）に示すように、ノズル３の噴出口３４から人体局部に向けて噴出される洗浄水は、直線流気味に噴出される。よって、洗浄面積が減少するため、『強』の洗浄感が得られる。
【００２７】
図７（Ｂ）の（ｉ）に示すように、可変部４８の開口溝４８ｘが第１開口４４の開口幅の中間の部分４４ｍと、第２開口４６の開口幅の中間の部分４６ｍとに連通するときには、拡散流の水量と直線流の水量とが同じ程度となる。従って図７（Ｂ）の（ｉｉ）に示すように、ノズル３の噴出口３４から人体局部に向けて噴出される洗浄水は中程度の噴出水となり、『中』の洗浄感が得られる。
【００２８】
本実施例においては、使用者がマッサージスイッチ１１ｂをオン操作すると、バルブモータ６が駆動し、バルブ４の可変部４８が矢印Ｂ１方向または矢印Ｂ２方向の連続的に往復作動するため、洗浄水の『弱』『中』『強』が繰り返され、これにより人体の局部に対するマッサージ処理を良好に行うことができ、殊に痔疾者等の使用に適する。
【００２９】
ところで上記した従来技術では、マッサージ処理を行うため、前述のように、人体の局部に向けて噴出される設定水量を中心とする水量変化を与える方式が採用されている。この方式の場合、設定水量よりも水量が減少するときには、洗浄能力が低下する問題がある。この点実施例においては、バルブ４は、拡散流給水路３１の水量を増加させるときには、直線流給水路３２の水量を減少させる。また、バルブ４は、拡散流給水路３１の水量を減少させるときには、直線流給水路３２の水量を増加させる。このため本実施例においてはノズル３に供給される単位時間当たりの水量はほぼ一定に維持される。故に本実施例においては、拡散流の水量と直線流の水量との混合比を変更させることによりマッサージ効果を得つつも、ノズル３の噴出口３４から噴出される洗浄水の単位時間当たりの水量自体が基本的には一定に維持されるため、人体の局部に対する洗浄能力を低下させることなく良好に確保することができる。
【００３０】
加えて本実施例においては、図５に示すように、拡散流給水路３１及び直線流給水路３２の横断面形状は偏平形状とされているため、拡散流給水路３１及び直線流給水路３２をノズル３の内部にコンパクトに配置することができ、ノズル３の大型化を防止できる。
【００３１】
また本実施例においては、拡散流給水路３１の洗浄水、直線流給水路３２の洗浄水は、双方に共通する噴出口３４から噴出される。この場合、拡散流と直線流とが独立の噴出口から個別に噴出される場合に比較して、拡散流と直線流とを良好に混合させるのに有利となり、水量を減少させることなくマイルドな洗浄感を得ることができ、この意味においても良好なるマッサージ効果を確保できる。
【００３２】
図８は制御装置７のマイコンが実行するマッサージ処理のサブルーチンの代表的なフローチャートを示す。図８に示すように、ステップＳ１０２において制御装置のマイコンはマッサージスイッチ１ｂを読み込み、マッサージスイッチ１ｂがオンされているか否か判定する。マッサージスイッチ１ｂがオンであれば、ステップＳ１０４に進み、バルブモータ６を駆動させるバルブ４を開閉作動させる。次にステップＳ１０６に進み、マッサージスイッチ１ｂを読み込み、マッサージスイッチ１ｂがオフか否か判定する。マッサージスイッチ１ｂがオフであれば、バルブモータ６を停止させ、ステップＳ１１０でその他の処理を行い、メインルーチンに戻る。ステップＳ１０６において判定した結果、マッサージスイッチ１ｂがオンであれば、ステップＳ１０４に戻り、バルブモータ６の駆動を継続する。これによりマッサージスイッチ１ｂがオフとなるまで、バルブモータ６は駆動を継続し、バルブ４は作動を継続するため、洗浄水の『弱』『中』『強』が繰り返され、人体の局部に対するマッサージ効果を良好に行うことができる。上記したフローチャートは一例であり、これに限定されるものではない。
【００３３】
その他、本発明は上記した且つ図面に示した実施例のみに限定されるものではなく、要旨を逸脱しない範囲内で適宜変更して実施できるものである。例えば旋回促進部５における貫通孔５４は複数個に限らず１個としても良い。また旋回促進部５は上記したものに限定されず、洗浄水を旋回させるための羽根車などを有するものでも良い。またバルブ４は上記した機構に限定されず、ノズル３における拡散流給水路３１の水量と直線流給水路３２と水量との混合比を変更できる機能を有するものであれば良い。また上記した実施例においては、バルブモータ６の駆動により可変部４８はこれの周方向に沿って所定距離往復回動する方式であるが、これに限らず、バルブの可動部としては、周方向に連続的に回動する方式でも良い。上記した実施例においては、バルブモータ６の駆動により可変部４８はこれの周方向に回動する回動式であるが、構造は図示はしないものの、可変部を直線的に往復移動させる直線移動式としても良い。
【００３４】
上記した実施例及び発明の実施の形態は本発明の例示であり、実施例、発明の実施の形態に記載した語句は、一部であっても請求項に記載できるものである。
【００３５】
【発明の効果】
本発明装置によれば、駆動源の駆動によりバルブが作動するため、拡散流給水路の水量と直線流給水路の水量との混合比が自動的に変更され、マイルドな『弱』の洗浄感、局所的な『強』の洗浄感、『中』の洗浄感が繰り返されることになり、人体の局部に対する良好なマッサージ効果が得られる。殊に拡散流を用いるため、直線流のみの水量の変化でマッサージ効果を得る場合に比較して、良好なるマッサージ効果が得られる。
【００３６】
本発明装置においては、ノズルの拡散流給水路の水量を増加させるときには直線流給水路の水量を減少させ、また、ノズルの拡散流給水路の水量を減少させるときには直線流給水路の水量を増加させるように、バルブが設けられている場合には、ノズルの噴出口から噴出される洗浄水の単位時間当たりの水量自体は基本的にはほぼ一定に維持されることが可能となる。この場合、拡散流の水量と直線流の水量との混合比の変更に基づくマッサージ効果を得つつも、人体局部に対する洗浄能力を低下させることなく洗浄能力を良好に確保することができる。
【図面の簡単な説明】
【図１】人体局部洗浄装置の斜視図である。
【図２】ノズル付近の全体図。
【図３】ノズルの長さ方向に沿った縦断面図である。
【図４】図３のIV-IV線に沿った断面図である。
【図５】図３のV-V線に沿った横断面図である。
【図６】ノズルから噴出される旋回を伴った拡散流をイメージした斜視図である。
【図７】ノズルからの洗浄水の噴出形態とバルブの第１開口及び第２開口との関係を示す図である。
【図８】制御装置のマイコンが実行するマッサージ処理のフローチャートである。
【符号の説明】
図中、１４は洗浄機構、２は基部、３１は拡散流給水路、３２は直線流給水路、３４は噴出口、４はバルブ、４４は第１開口、４６は第２開口、４８は可変部、５は旋回促進部、６はバルブモータ（モータ，駆動源）、７は制御装置を示す。
【図１】
0004622065.tif 000002
【図２】
0004622065.tif 000003
【図３】
0004622065.tif 000004
【図４】
0004622065.tif 000005
【図５】
0004622065.tif 000006
【図６】
0004622065.tif 000007
【図７】
0004622065.tif 000008
【図８】
0004622065.tif 000009